(57)【要約】【課題】ケーブルを押圧する押圧部材に対して押圧部材の移動方向の一方側と他方側との両側でケーブルを接続できる端子台を提供する。【解決手段】ケーブル２１が重ねられる第１および第２の接続部１４，１５を有する導電材製の端子台本体１２を備える。端子台本体１２に回動自在に支持されてケーブル２１を第１、第２の接続部１４，１５と協働して挟む第１、第２の回動端部３１，３２を有する押圧部材２６を備える。端子台本体１２に支持されて押圧部材２６を押すねじ部材３３を備える。第１の回動端部３１は第１の接続部１４に近接し、第２の回動端部３２は第２の接続部１５に近接する。【選択図】  図３
2020004601.tif 000002
【特許請求の範囲】
【請求項１】
ケーブルが重ねられる導電材料製の接続部を有する端子台本体と、
前記端子台本体に回動自在に支持され、前記ケーブルを前記接続部と協働して挟む回動端部を有する押圧部材と、
前記端子台本体に支持され、前記押圧部材を前記回動端部が前記ケーブルに押し付けられる方向に押すねじ部材とを備え、
前記端子台本体は、前記押圧部材を挟む２箇所にそれぞれ前記接続部を有し、
前記回動端部は、前記２箇所の接続部のうち一方の接続部に近接する第１の回動端部と、他方の接続部に近接する第２の回動端部とによって構成されていることを特徴とする端子台。
【請求項２】
請求項１記載の端子台において、
前記押圧部材は、前記端子台本体に支軸を介して回動自在に支持され、
前記押圧部材と前記支軸とのうち少なくとも押圧部材と、前記ねじ部材とが導電材料によって形成されていることを特徴とする端子台。
【請求項３】
請求項２記載の端子台において、
前記押圧部材の前記回動端部は、前記接続部に沿って延びる平坦面を有していることを特徴とする端子台。
【請求項４】
請求項１ないし請求項３のうちいずれか一つに記載の端子台において、
前記端子台本体は、半田付け用の端子が突設されているとともに、前記半田付け用の端子を除く外面が絶縁材料からなる筐体部で覆われていることを特徴とする端子台。
【発明の詳細な説明】
【技術分野】
【０００１】
本発明は、締結用のねじ部材から受ける押圧力でケーブルを接続部に押し付ける押圧部材を備えた端子台に関する。
【背景技術】
【０００２】
従来の端子台としては、例えば特許文献１に記載されているものがある。特許文献１に開示された端子台は、ケーブルに圧着された圧着端子が重ねられる接続部と、圧着端子を貫通して接続部に螺着される接続用ねじとを備えている。この種の端子台は、ケーブルを接続するにあたって圧着端子が必要になるために、接続作業が煩わしいものである。
【０００３】
このような煩わしさを解消できる従来の端子台としては、例えば図９に示すものがある。図９に示す端子台１は、ケーブル（図示せず）が挿入される穴２が形成されたハウジング３と、このハウジング３の中でケーブルを挟む導通板４および押圧部材５と、導通板４と隣り合う位置に設けられたねじ部材６などを備えている。導通板４は、ハウジング３に固定されている。押圧部材５は、ハウジング３に対して移動自在に構成されており、ねじ部材６に螺合する雌ねじ部５ａと、導通板４と協働してケーブルを挟む接触部５ｂとを有している。ねじ部材６は、軸線方向への移動が規制される状態でハウジング３に回転自在に支持されている。
【０００４】
図９に示す端子台１においては、ねじ部材６が締め込まれることによって、雌ねじ部５ａを有する押圧部材５がハウジング３に対して移動し、ケーブルを導通板４に押し付ける。この結果、ケーブルが導通板４と押圧部材５の接触部５ｂとによって挟まれた状態で導通板４に固定される。この端子台１においては、ケーブル挿入用の穴２の中に押圧部材５の接触部５ｂが位置するために、ケーブル挿入用の穴２における導通板４とは反対側に隙間Ｓが形成される。
【先行技術文献】
【特許文献】
【０００５】
【特許文献１】特開２００３−７３６５号公報
【発明の概要】
【発明が解決しようとする課題】
【０００６】
図９に示す端子台１においは、ハウジング３のケーブル挿入用の穴２が押圧部材５の接触部５ｂによって２分されて隙間Ｓが形成されることが問題であった。すなわち、ケーブルを新たにケーブル挿入用の穴２に挿入するときに隙間Ｓに誤って挿入してしまうおそれがあった。隙間Ｓにケーブルが挿入されると、ねじ部材６を締め込んだとしてもケーブルが端子台１に固定されることはないから、導通不良となる。
【０００７】
本発明の目的は、ケーブルを押圧する押圧部材に対して押圧部材の移動方向の一方側と他方側との両側でケーブルを接続できる端子台を提供することである。
【課題を解決するための手段】
【０００８】
この目的を達成するために、本発明に係る端子台は、ケーブルが重ねられる導電材料製の接続部を有する端子台本体と、前記端子台本体に回動自在に支持され、前記ケーブルを前記接続部と協働して挟む回動端部を有する押圧部材と、前記端子台本体に支持され、前記押圧部材を前記回動端部が前記ケーブルに押し付けられる方向に押すねじ部材とを備え、前記端子台本体は、前記押圧部材を挟む２箇所にそれぞれ前記接続部を有し、前記回動端部は、前記２箇所の接続部のうち一方の接続部に近接する第１の回動端部と、他方の接続部に近接する第２の回動端部とによって構成されているものである。
【０００９】
本発明は、前記端子台において、前記押圧部材は、前記端子台本体に支軸を介して回動自在に支持され、前記押圧部材と前記支軸とのうち少なくとも押圧部材と、前記ねじ部材とが導電材料によって形成されていてもよい。
【００１０】
本発明は、前記端子台において、前記押圧部材の前記回動端部は、前記接続部に沿って延びる平坦面を有していてもよい。
【００１１】
本発明は、前記端子台において、前記端子台本体は、半田付け用の端子が突設されているとともに、前記半田付け用の端子を除く外面が絶縁材料からなる筐体部で覆われていてもよい。
【発明の効果】
【００１２】
本発明においては、ねじ部材をねじ込むことにより、押圧部材が端子台本体に対して回り、押圧部材の第１の回動端部が一方の接続部に近接するとともに、第２の回動端部が他方の接続部に近接する。一方の接続部にケーブルが重ねられている場合は、このケーブルが一方の接続部と第１の回動端部とによって挟まれて固定される。他方の接続部にケーブルが重ねられている場合は、このケーブルが他方の接続部と第２の回動端部とによって挟まれて固定される。
【００１３】
このため、押圧部材によって分けられた一方の接続部側の空間と、他方の接続部側の他方の空間のいずれにおいてもケーブルを接続することができる。
したがって、本発明によれば、ケーブルを押圧する押圧部材に対して押圧部材の移動方向の一方側と他方側との両側でケーブルを接続できる端子台を提供することができる。この端子台においては、ケーブルを本来挿入する隙間とは反対側の隙間に挿入したとしても導通をとることができるから、誤挿入による導通不良が発生することはない。
【図面の簡単な説明】
【００１４】
【図１】本発明に係る端子台の正面図である。
【図２】図１におけるII−II線断面図である。
【図３】第１の接続部にケーブルが接続された状態を示す断面図である。
【図４】第２の接続部にケーブルが接続された状態を示す断面図である。
【図５】第１の接続部と第２の接続部とにケーブルが接続された状態を示す断面図である。
【図６】押圧部材の変形例を示す断面図である。
【図７】押圧部材の変形例を示す断面図である。
【図８】筐体部の変形例を示す断面図である。
【図９】従来の端子台の導通部分を破断して示す斜視図である。
【発明を実施するための形態】
【００１５】
以下、本発明に係る端子台の一実施の形態を図１〜図８を参照して詳細に説明する。
図１に示す端子台１１は、いわゆるねじ接続式のプリント基板端子台で、図１に示す正面視において方形状に形成された端子台本体１２を備えている。この端子台本体１２は、導電材料によって箱状に形成されており、図１の紙面の手前側に向けて開口する一つの開口部１３を有している。
【００１６】
この実施の形態による端子台本体１２は、図１において下側で左右方向に延びる板状の第１の接続部１４と、この第１の接続部１４と対向する板状の第２の接続部１５と、これら第１および第２の接続部１４，１５どうしを接続する左側壁部１６および右側壁部１７と、開口部１３とは反対側に位置する後壁部１８（図２参照）とによって形成されている。
第１の接続部１４の上面１４ａと第２の接続部１５の下面１５ａは、詳細は後述するが、ケーブル２１（図３および図４参照）を重ねることができるように平坦に形成されている。この実施の形態においては、第１の接続部１４が本発明でいう「一方の接続部」に相当し、第２の接続部１５が本発明でいう「他方の接続部」に相当する。
この実施の形態による端子台本体１２は、詳細は後述するが、第１の接続部１４と第２の接続部１５とのうち少なくともいずれか一方にケーブル２１が重ねられて接続される。
【００１７】
後壁部１８は、後方に突出する半田付け用の端子２２を有している。この実施の形態による半田付け用の端子２２は、後壁部１８の後方で下側に向けて折り曲げられている。この半田付け用の端子２２は、図２に示すように、この端子台１１がプリント基板２３に実装されるときにプリント基板２３の貫通孔２４に通され、配線パターン（図示せず）に半田付けされる。
この端子台本体１２の半田付け用の端子２２を除く外面は、プラスチック製の筐体部２５で覆われている。
【００１８】
端子台本体１２の開口部１３内には押圧部材２６が収容されている。この押圧部材２６は、導電材料によって四角形の板状に形成されており、開口部１３内を第１の接続部１４側の空間Ｓ１と第２の接続部１５側の空間Ｓ２とに分けている。詳述すると、押圧部材２６は、左右方向の両端が左側壁部１６および右側壁部１７と平行になる状態で左側壁部１６および右側壁部１７にそれぞれ支軸２７，２８を介して回動自在に支持されている。これらの支軸２７，２８も導電材料によって形成されている。これらの支軸２７，２８は、同一軸線上に位置付けられている。これらの支軸２７，２８の軸線Ｃは、左右方向に延びている。押圧部材２６は、支軸２７，２８の軸線Ｃからなる回動軸線に沿って延びる板状に形成されている。
【００１９】
支軸２７，２８の一端は、図２に示すように、前後方向に延びる姿勢とされた押圧部材２６の前後方向の中央に回動自在に支持されている。支軸２７，２８の他端は、左側壁部１６および右側壁部１７の前後方向および上下方向の中央部に固定されている。なお、支軸２７，２８は、絶縁材料によって形成されていてもよいし、端子台本体１２と押圧部材２６とを左右方向に貫通する１本の軸によって構成することもできる。支軸２７，２８を支持する構造も上記の構造に限定されることなく、変更することができる。
【００２０】
押圧部材２６の左右方向の幅は、左側壁部１６と右側壁部１７との間隔より僅かに短い。押圧部材２６の前後方向の幅、詳述すると、図２に示すように押圧部材２６が水平方向に延びる姿勢のときの押圧部材２６の前後方向の幅は、第１の接続部１４と第２の接続部１５との間隔より長い。このため、押圧部材２６が支軸２７，２８を中心にして回動することによって、押圧部材２６の回動端部が第１の接続部１４と第２の接続部１５とに当たるようになる。
【００２１】
この実施の形態においては、押圧部材２６の後側の回動端部を第１の回動端部３１といい、押圧部材２６の前側の回動端部を第２の回動端部３２という。第１の回動端部３１は、図３に示すように、第１の接続部１４との間にケーブル２１が挿入されることにより、ケーブル２１を第１の接続部１４と協働して挟む。第２の回動端部３２は、図４に示すように、第２の接続部１５との間にケーブル２１が挿入されることにより、ケーブル２１を第２の接続部１５と協働して挟む。
【００２２】
端子台本体１２の第２の接続部１５の後部には、ねじ部材３３が設けられている。このねじ部材３３は、第２の接続部１５の後部であって左右方向の中央部に螺合しており、第２の接続部１５および筐体部２５を貫通して端子台本体１２の内方に延びている。このねじ部材３３は、導電材料によって形成されている。ねじ部材３３における、端子台本体１２の外側に位置する一端には、工具（図示せず）が係合する頭部３３ａが設けられている。ねじ部材３３における端子台本体１２内に位置する他端は、押圧部材２６の後部上面と対向している。
【００２３】
このため、ねじ部材３３が端子台本体１２に対してねじ込まれることにより、押圧部材２６の後部に当たり、押圧部材２６の後部が第１の接続部１４に向けて押されて押圧部材２６が支軸２７，２８を中心にして図２において時計方向に回る。押圧部材２６がこのように回ることにより、図２中に二点鎖線で示すように、第１の回動端部３１が第１の接続部１４に近接し、第２の回動端部３２が第２の接続部１５に近接する。このため、この実施の形態による端子台本体１２は、押圧部材２６を挟む２箇所にそれぞれ接続部（第１および第２の接続部１４，１５）を有していることになる。
【００２４】
このように構成された端子台１１にケーブル２１を接続するためには、先ず、押圧部材２６の第１の回動端部３１と第１の接続部１４との間と、押圧部材２６の第２の回動端部３２と第２の接続部１５との間とのうち少なくともいずれか一方にケーブル２１を挿入する。１本のケーブル２１を端子台１１に接続する場合は、図３に示すように、ケーブル２１を第１の接続部１４に重ねて押圧部材２６との間に挿入するか、図４に示すように、ケーブル２１を第２の接続部１５に重ねて押圧部材２６との間に挿入する。
【００２５】
２本のケーブル２１を端子台１１に接続する場合は、図５に示すように、ケーブル２１を第１の接続部１４と第２の接続部１５とにそれぞれ重ねて押圧部材２６との間に挿入する。
このようにケーブル２１を端子台本体１２と押圧部材２６との間に挿入した後、ねじ部材３３を端子台本体１２に対してねじ込む。ねじ部材３３がねじ込まれると、押圧部材２６がねじ部材３３によって押されて支軸２７，２８を中心にして図３〜図５において時計方向に回り、押圧部材２６の回動端部（第１の回動端部３１、第２の回動端部３２）がケーブル２１に押し付けられる。
【００２６】
図３に示す場合は、ケーブル２１が第１の接続部１４と押圧部材２６の第１の回動端部３１とによって挟まれて固定される。図４に示す場合は、ケーブル２１が第２の接続部１５と押圧部材２６の第２の回動端部３２とによって挟まれて固定される。図５に示す場合は、一方のケーブル２１が第１の接続部１４と押圧部材２６の第１の回動端部３１とによって挟まれて固定されるとともに、他方のケーブル２１が第２の接続部１５と押圧部材２６の第２の回動端部３２とによって挟まれて固定される。
【００２７】
このため、この実施の形態による端子台１１においては、押圧部材２６によって分けられた第１の接続部１４側の空間Ｓ１と、第２の接続部１５側の空間Ｓ２とのいずれにおいてもケーブル２１を接続することができる。
したがって、この実施の形態によれば、ケーブル２１を押圧する押圧部材２６に対して押圧部材２６の移動方向の一方側と他方側との両側でケーブル２１を接続できる端子台を提供することができる。
【００２８】
この実施の形態による押圧部材２６は、端子台本体１２に支軸２７，２８を介して回動自在に支持されている。押圧部材２６および支軸２７，２８と、ねじ部材３３とが導電材料によって形成されている。このため、ケーブル２１と第１または第２の接続部１４，１５との接触部分からなる第１の導通経路４１（図３〜図５参照）と、押圧部材２６とねじ部材３３とを有する第２の導通経路４２（図３〜図５参照）と、押圧部材２６と支軸２７，２８とを有する第３の導通経路４３（図３〜図５参照）とを介してケーブル２１が端子台本体１２に導通される。したがって、この実施の形態によれば、導通の信頼性が高い端子台を提供することができる。
【００２９】
この実施の形態による端子台本体１２は、半田付け用の端子２２が突設されているとともに、半田付け用の端子２２を除く外面が絶縁材料からなる筐体部２５で覆われている。
このため、この端子台１１は、筐体部２５に接触した他の電子部品（図示せず）と導通することがないから、実装密度の高いプリント基板２３に実装することが可能になる。
【００３０】
＜押圧部材の第１の変形例＞
押圧部材２６は、図６に示すように構成することができる。図６に示す押圧部材２６の回動中心Ａと第１の回動端部３１との間の長さＬ１は、回動中心Ａと第２の回動端部３２との間の長さＬ２より短い。
このため、第１の接続部１４と第１の回動端部３１との間に挿入するケーブル２１Ａの太さと、第２の接続部１５と第２の回動端部３２との間に挿入するケーブル２１Ｂの太さとを変えることができる。ケーブル２１Ａはケーブル２１Ｂより太い。
したがって、この実施の形態によれば、太さの異なる２本のケーブル２１Ａ，２１Ｂを一度に接続することが可能な端子台を提供することができる。
【００３１】
＜押圧部材の第２の変形例＞
押圧部材２６は図７に示すように構成することができる。図７に示す押圧部材２６の第１の回動端部３１と第２の回動端部３２は、第１および第２の接続部１４，１５に沿って延びる平坦面４４を有している。このため、この実施の形態によれば、押圧部材２６とケーブル２１との接触部分がケーブル２１の長手方向に延びるようになるから、押圧部材２６がケーブル２１に接続され易くなる。
【００３２】
＜筐体部の変形例＞
筐体部２５は、図８に示すように構成することができる。
図８に示す筐体部２５は、ねじ部材３３の頭部３３ａが収容される凹部４５を有している。このように頭部３３ａが筐体部２５の凹部４５に収容されると、端子台１１から突出する導体が半田付け用の端子２２のみになる。このため、絶縁性に優れた端子台を提供することができる。なお、絶縁性を高くするにあたっては、凹部の代わりにねじ部材３３の頭部３３ａを覆い隠すカバー（図示せず）を筐体部２５に設けることもできる。
【符号の説明】
【００３３】
１…端子台、１２…端子台本体、１４…第１の接続部、１５…第２の接続部、３１…第１の回動端部、２１…ケーブル、２５…筐体部、２６…押圧部材、３２…第２の回動端部、３３…ねじ部材、４４…平坦面、Ａ…回動中心、Ｌ１…回動中心と第１の回動端部との間の長さ、Ｌ２…回動中心と第２の回動端部との間の長さ。
【図１】
2020004601.tif 000003
【図２】
2020004601.tif 000004
【図３】
2020004601.tif 000005
【図４】
2020004601.tif 000006
【図５】
2020004601.tif 000007
【図６】
2020004601.tif 000008
【図７】
2020004601.tif 000009
【図８】
2020004601.tif 000010
【図９】
2020004601.tif 000011